(57)【要約】【課題】本発明は彩色表示を実現することができ、且つ製造コストが低いエレクトロウエッティングディスプレイを提供することを目的とする。【解決手段】本発明は、互いに対向配置される第一基板及び第二基板と、第二基板の対向面側に格子構造で配置され複数のサブ・画素ユニットを定義する突起と、第二基板の対向面側に配置された疎水性絶縁層と、隣り合う二つの突起の間の疎水性絶縁層の表面に封入される第一流体と、第一流体と第一基板の間に封入され且つ第一流体と混和しない導電性又は極性液体であって、透光性が第一流体より良い第二流体と、前記複数のサブ・画素ユニットに対応して疎水性絶縁層と第二基板の間に配置された複数の画素電極を備える制御回路とを備え、各々のサブ・画素ユニットに対応して、第二基板と疎水性絶縁層との間に配置される複数の異なる色彩の着色層を更に備えるエレクトロウエッティングディスプレイを提供する。【選択図】図４
2009031795.tif 000002
【特許請求の範囲】
【請求項１】
互いに対向配置される第一基板及び第二基板と、前記第二基板の対向面側に格子構造で配置されて、複数のサブ・画素ユニットを定義する複数の突起と、前記第二基板の対向面側に配置された疎水性絶縁層と、隣り合う二つの突起の間の疎水性絶縁層の表面に封入される第一流体と、前記第一流体と前記第一基板の間に封入され、且つ前記第一流体と互いに混和しない導電性又は極性液体であって、透光性が第一流体より良い第二流体と、前記複数のサブ・画素ユニットに対応して前記疎水性絶縁層と前記第二基板の間に配置された複数の画素電極を備える制御回路と、を備えるエレクトロウエッティングディスプレイであって、
各々のサブ・画素ユニットに対応して、前記第二基板と前記疎水性絶縁層との間に配置される複数の異なる色彩の着色層を更に備えることを特徴とするエレクトロウエッティングディスプレイ。
【請求項２】
前記第一流体は、透光しない液体物質であることを特徴とする請求項１に記載のエレクトロウエッティングディスプレイ。
【請求項３】
前記複数の画素電極は、透明電極であることを特徴とする請求項１に記載のエレクトロウエッティングディスプレイ。
【請求項４】
前記複数の画素電極は、反射電極であることを特徴とする請求項１に記載のエレクトロウエッティングディスプレイ。
【請求項５】
前記制御回路は、前記複数の画素電極を覆う絶縁保護層を更に備え、前記着色層が前記絶縁保護層の上に形成されることを特徴とする請求項１に記載のエレクトロウエッティングディスプレイ。
【請求項６】
前記疎水性絶縁層は、各々のサブ・画素ユニットに対応して、前記複数の異なる色彩の着色層を覆うことを特徴とする請求項５に記載のエレクトロウエッティングディスプレイ。
【請求項７】
前記突起は、第一部分と、第二部分と、を備え、前記第二部分は、前記第一流体を分離することに用いられ、前記第一部分は、前記複数の異なる色彩の着色層を分離することに用いられ、且つ前記第一部分と第二部分は対応配置されることを特徴とする請求項１に記載のエレクトロウエッティングディスプレイ。
【請求項８】
前記着色層は、前記画素電極の上に形成され、前記疎水性絶縁層は、前記着色層及び前記突起の第一部分との表面を覆うことを特徴とする請求項７に記載のエレクトロウエッティングディスプレイ。
【請求項９】
前記着色層及び前記突起の第一部分の表面を覆っている絶縁保護層を更に備え、前記画素電極と前記疎水性絶縁層が絶縁保護層の上に順番に形成されることを特徴とする請求項７に記載のエレクトロウエッティングディスプレイ。
【発明の詳細な説明】
【技術分野】
【０００１】
本発明は、エレクトロウエッティングディスプレイに関するものである。
【背景技術】
【０００２】
情報機器の普及に伴い、各種の表示装置が開発されている。なかでも、エレクトロウエッティングディスプレイ（Ｅｌｅｃｔｒｏ−ｗｅｔｔｉｎｇ  Ｄｉｓｐｌａｙ）は、近年表示装置に応用された新技術であって、低消費電力・広視角・速い応答時間などの特性を有するので、研究及び重視程度が倍増する。
【０００３】
図１は、従来のエレクトロウエッティングディスプレイの電圧無印加時の状態を示す一部拡大断面図である。前記エレクトロウエッティングディスプレイ１０は、互いに対向配置された第一基板１１及び第二基板１７と、前記第一基板１１と第二基板１７との間に配置された第一流体１３と、第二流体１２と、複数の電極１４と、絶縁層１５と、複数の突起１６と、を備える。前記複数の電極１４は、前記第二基板１７の表面にマトリックス形で配置されており、且つ隣接する二つの電極１４の間に1つの隙間１４１を有し、前記電極１４毎に1つのサブ・画素ユニットＰを定義する。前記絶縁層１５は、前記複数の電極１４及びその間の隙間１４１を覆い、且つ平坦な表面を有する。前記複数の突起１６は、前記複数の電極１４の間の隙間１４１に対応して、前記絶縁層１５の平坦な表面の上に配置される。前記第一流体１３は、隣り合わせ突起１６の間に封入され、その厚さが前記突起１６の高度より小さく、一般的に不透明なオイルまたはセタンのようなパラフィンである。前記第二流体１２は、前記第一流体１３と前記第一基板１１の間に封入し、前記第一流体１３と互いに混和しない（Ｉｍｍｉｓｃｉｂｌｅ）透明導電性液体である。
【０００４】
電圧を印加しない時、前記第二流体１２は、前記第一流体１３に積み重なり、且つ前記第一基板１１に隣り合う。この時、前記エレクトロウエッティングディスプレイ１０には、前記第一流体１３の色彩が現われる。
【０００５】
図２は、図１に示すエレクトロウエッティングディスプレイに電圧を印加した時の状態を示す一部拡大断面図である。前記第二流体１２と1つのサブ・画素ユニットＰの電極１４との間に外部電圧１８を印加すると、前記外部電圧１８の作用によって、前記第二流体１２の表面張力が改変されて、前記サブ・画素ユニットＰ内の第一流体１３を押し出し、前記第一流体１３を隣り合う突起１６側に移動させ、前記エレクトロウエッティングディスプレイ１０の対応するサブ・画素ユニットＰは、前記第一流体１３の色彩を表示しない。
【０００６】
前記エレクトロウエッティングディスプレイ１０は、ただ単一色彩だけを表示する。カラー表示を実現するために、一般的に前記第二流体１２と前記第一基板１１との間にカラーフィルター（Ｃｏｌｏｒ  Ｆｉｌｔｅｒ）を配置する。
【０００７】
図３は、従来のカラーフィルターの構造を示す平面図である。前記カラーフィルターは、マトリックス形で配置される複数のＲＧＢサブ画素２１と、隣り合う二つサブ画素２１の間に配置されるブラックマトリックス２２と、を備える。各々のＲＧＢサブ画素２１は、皆１つのサブ・画素ユニットＰに対応する。前記ブラックマトリックス２２は、前記突起１６に対応する。
【０００８】
前記第二流体１２と1つのサブ・画素ユニットＰの電極１４との間に外部電圧を印加すると、前記第一流体１３が横方向に移動し、前記カラーフィルターを含むエレクトロウエッティングディスプレイ１０は、前記サブ・画素ユニットＰに対応するＲＧＢサブ画素２１の色彩を表示する。異なるサブ・画素ユニットＰに外部電圧を印加することにより、Ｒ、Ｇ、Ｂ３つの色の混和比例を改変することができ、従って前記エレクトロウエッティングディスプレイ１０のカラー表示を実現する。
【０００９】
しかし、前記エレクトロウエッティングディスプレイ１０は、カラー表示を実現するために前記第一基板１１の表面にカラーフィルターを塗布しなければならず、前記カラーフィルターを形成するために、何度もカラー顔料を塗布したり、エッチングしたりする製造工程を必要として、その製造工程が複雑で、製造コストも高い。
【発明の開示】
【発明が解決しようとする課題】
【００１０】
本発明の目的は、前記課題を解決し、彩色表示を実現することができ、且つ製造コストが低いエレクトロウエッティングディスプレイを提供することである。
【課題を解決するための手段】
【００１１】
前記目的を達成するため、本発明は、互いに対向配置される第一基板及び第二基板と、前記第二基板の対向面側に格子構造で配置されて、複数のサブ・画素ユニットを定義する複数の突起と、前記第二基板の対向面側に配置された疎水性絶縁層と、隣り合う二つの突起の間の疎水性絶縁層の表面に封入される第一流体と、前記第一流体と前記第一基板の間に封入され、且つ前記第一流体と互いに混和しない導電性又は極性液体であって、透光性が第一流体より良い第二流体と、前記複数のサブ・画素ユニットに対応して前記疎水性絶縁層と前記第二基板の間に配置された複数の画素電極を備える制御回路と、を備えるエレクトロウエッティングディスプレイであって、各々のサブ・画素ユニットに対応して、前記第二基板と前記疏水性絶縁層との間に配置される複数の異なる色彩の着色層を更に備えることを特徴とするエレクトロウエッティングディスプレイを提供する。
【発明の効果】
【００１２】
前記エレクトロウエッティングディスプレイは、前記疎水性絶縁層と第二基板の間に配置された複数の異なる色彩の着色層を利用するので、従来の濾色ために用いるカラーフィルターは不要となる。したがって彩色表示を実現でき、且つカラーフィルターの製造工程を節約するので、製造コストを下げる。
【発明を実施するための最良の形態】
【００１３】
図４は、本発明の第１実施形態に係るエレクトロウエッティングディスプレイの一部断面図である。前記エレクトロウエッティングディスプレイ３０は、互いに対向配置される第一基板３１及び第二基板３９と、前記第一基板３１と第二基板３９との間に配置される第一流体３３と、第二流体３２と、複数の突起３４と、疎水性絶縁層３６と、ＲＧＢ着色層３８ａ、３８ｂ、３８ｃと、制御回路３７と、を備える。
【００１４】
前記第二基板３９の表面に配置される前記制御回路３７は、複数のスイッチング素子３７２と、複数の画素電極３７３及び絶縁保護層３７４を備える。マトリックス形で前記第二基板３９の表面に配置される前記複数の画素電極３７３は、ＩＴＯ（Ｉｎｄｉｕｍ  Ｔｉｎ  Ｏｘｉｄｅ）またはＩＺＯ（Ｉｎｄｉｕｍ  Ｚｉｎｃ  Ｏｘｉｄｅ）のような透明導電材料から作製する。前記スイッチング素子３７２は、各々1つの画素電極３７３に対応的に電気接続して、前記画素電極３７３に外部電圧を印加するかどうかを制御することに用いられ、且つ1つのスイッチング素子３７２及びそれに接続される画素電極３７３が1つのサブ・画素ユニットＰを定義し、隣り合う二つのサブ・画素ユニットＰの間に1つの隙間３７５を有する。有機高分子材料であることができる前記絶縁保護層３７４は、前記複数のスイッチング素子３７２、前記複数の画素電極３７３及びその間の前記隙間３７５を覆って、前記制御回路３７の表面を平整化させる。
【００１５】
前記絶縁保護層３７４の平坦な表面の上に格子構造で配置される前記複数の突起３４は、前記複数の隙間３７５に対応する。前記ＲＧＢ着色層３８ａ、３８ｂ、３８ｃは、滴下方式で（Ｏｎｅ  Ｄｒｏｐ  Ｆｉｌｌ）赤色顔料、緑色顔料、青色顔料別々に各々のサブ・画素ユニット内に順番に滴下して形成する。前記疎水性絶縁層３６は、ＡＦ１６００のような疎水性の透明なアモルファス・フルオロポリマーから構成され、各々のサブ・画素ユニットに対応して、複数のＲＧＢ着色層３８ａ、３８ｂ、３８ｃの表面に設置される。前記第一流体３３は、各サブ・画素ユニット内の疎水性絶縁層３６の表面に封入されて、前記第一流体３３の厚さ、何れの１つのＲＧＢ着色層３８ａ、３８ｂ、３８ｃの厚さ及び前記疎水性絶縁層３６の厚さの和が前記突起３４の高度より小さく、且つ前記第一流体３３の材料は、一般的に色付けされたオイルまたはヘキサデカンのようなアルカンであって、本実施形態では黒色オイル膜である。前記第二流体３２は、前記第一流体３３と前記第一基板３１との間に封入され、前記第一流体３３と互いに混和しない（Ｉｍｍｉｓｃｉｂｌｅ）透明導電性液体であって、水または塩の水溶液であることができ、例えば、水とエチルアルコールの混合物の中の塩化カリウムの水溶液である。
【００１６】
前記エレクトロウエッティングディスプレイ３０に外部電圧を印加しない時、前記第二流体３２は、前記第一流体３３に積み重なり、前記第一流体３３が黒色オイル膜であるため、前記エレクトロウエッティングディスプレイ３０が黒色を表示し、且つ前記第二基板３９から入射する光線は、前記第一流体３３に吸収される。
【００１７】
前記スイッチング素子３７２を介して、対応する画素電極３７３に電圧を印加すると共に、前記第二流体３２に他の電圧を印加すると、前記画素電極３７３の電圧と対応する前記第二流体３２の電圧が電圧差を形成する。前記電圧差の作用によって、前記第二流体３２の表面張力が改変されて、対応する第一流体３３を押し出し、前記第一流体３３を突起３４側に移動させるか又は小さな滴に分裂させて、対応するＲＧＢ着色層３８ａ、３８ｂ、３８ｃを覆う疎水性絶縁層３６を暴露し、例えば、Ｒ着色層３８ａを暴露すると、前記エレクトロウエッティングディスプレイ３０の対応するサブ・画素ユニットＰが赤色を表示する。複数の画素電極３７３に別々に異なる電圧を印加する時、前記複数の画素電極３７３に対応する複数のサブ・画素ユニットＰ内の第二流体３２が異なる電圧差の作用によって、自身の表面張力を対応的に改変し、従って前記第一流体３３が疎水性絶縁層３６の表面を覆う程度を改変して、面積が異なる複数のＲ着色層３８ａ、Ｇ着色層３８ｂ、Ｂ着色層３８ｃが現れ、従って色彩の混和比を改変する目的を達成する。前記第二基板３９の底部から入射する光線は、前記画素電極３７３と前記絶縁保護層３７４を順番に通過して各ＲＧＢ着色層３８ａ、３８ｂ、３８ｃによって濾色されてから、続いて前記第一流体３３に覆われない疎水性絶縁層３６と前記第二流体３２を通過して、前記第一基板３１から射出し、従って前記エレクトロウエッティングディスプレイ３０に対応する彩色画面を表示させる。
【００１８】
図５は、本発明の第２実施形態に係るエレクトロウエッティングディスプレイの一部断面図である。本実施形態に係るエレクトロウエッティングディスプレイ４０の構造は、第１実施形態に係るエレクトロウエッティングディスプレイ３０の構造と類似するが、異なるのは、前記エレクトロウエッティングディスプレイ４０の画素電極４７３は、反射電極であって、銀、Ｐｔ、Ｍｏ、クロム及び前記金属の合金のような反射率が高い金属材料であることができる。
【００１９】
前記エレクトロウエッティングディスプレイ４０は、反射表示を実現することができ、即ち対応する画素電極４７３に電圧を印加すると共に、前記第二流体４２に他の電圧を印加すると、前記画素電極４７３の電圧と対応する前記第二流体４２の電圧が電圧差を形成する。前記電圧差の作用によって、前記第二流体４２の表面張力が改変されて、対応する第一流体４３を押し出し、前記第一流体４３を突起４４側に移動させるか又は小さな滴に分裂させて、対応するＲＧＢ着色層４８ａ、４８ｂ、４８ｃを覆う疎水性絶縁層４６を暴露し、例えば、前記Ｒ着色層４８ａを覆う疎水性絶縁層４６を暴露すると、前記第一基板４１から入射する光線は、前記第二流体４２と、前記第一流体４３に覆われない疎水性絶縁層４６を順番に通過して、続いて前記Ｒ着色層４８ａによって濾色されてから、前記画素電極４７３に反射されて、前記絶縁保護層４７４、前記Ｒ着色層４８ａ、前記第一流体４３に覆われない疎水性絶縁層４６及び前記第二流体４２を順番に通過して、前記第一基板４１から射出し、前記サブ・画素ユニットＰ′に対応する赤色を表示させる。
【００２０】
同様に、複数の画素電極４７３に別々に異なる電圧を印加する時、前記複数の画素電極４７３に対応する複数のサブ・画素ユニットＰ′内の第二流体４２が異なる電圧差の作用によって、前記第一流体４３との接触界面形状を改変し、面積が異なる複数のＲＧＢ着色層４８ａ、４８ｂ、４８ｃが現れ、色彩の混和比を改変して、カラー画面を表示する目的を達成する。
【００２１】
前記エレクトロウエッティングディスプレイ３０、４０は、皆滴下方式で各サブ・画素ユニットＰ、Ｐ′に異なる色彩の着色層を形成し、且つ前記ＲＧＢ着色層３８ａ、４８ａ、３８ｂ、４８ｂ、３８ｃ、４８ｃが絶縁層３６、４６と絶縁保護層３７４、４７４との間に位置するため、第一流体３３、４３を分離することに用いられる突起３４、４４によって色彩を分離することができ、ブラックマトリックスを利用しなくてもいい。だから、前記エレクトロウエッティングディスプレイ３０、４０は、彩色表示を実現するばかりでなく、カラーフィルターの製造工程を節約するので、製造コスト下げる。
【００２２】
図６は、本発明の第３実施形態に係るエレクトロウエッティングディスプレイの一部断面図である。本実施形態に係るエレクトロウエッティングディスプレイ５０は、互いに対向配置される第一基板５１及び第二基板５９と、前記第一基板５１と第二基板５９との間に配置される第一流体５３と、第二流体５２と、複数の突起５４、疎水性絶縁層５６と、ＲＧＢ着色層５８ａ、５８ｂ、５８ｃと、制御回路５７と、を備える。
【００２３】
前記第二基板５９の表面に配置される前記制御回路５７は、複数のスイッチング素子５７２及び複数の画素電極５７３を備える。マトリックス形で前記第二基板５９の表面に配置される前記複数の画素電極５７３は、ＩＴＯまたはＩＺＯのような透明導電材料から作製する。前記スイッチング素子５７２は、各々1つの画素電極５７３に対応的に電気接続して、前記画素電極５７３に外部電圧を印加するかどうかを制御することに用いられ、且つ1つのスイッチング素子５７２及びそれに接続される画素電極５７３が1つのサブ・画素ユニットＸを定義し、隣接したサブ・画素ユニットＸの間に1つの隙間５７５を有する。
【００２４】
前記複数の突起５４は、第一部分５４ａと、第二部分５４ｂと、を備える。前記第一部分５４ａは、前記複数の隙間５７５に対応配置して、格子構造を構成する。前記ＲＧＢ着色層５８ａ、５８ｂ、５８ｃは、滴下方式で赤色顔料、緑色顔料、青色顔料を別々に各々のサブ・画素ユニット内に順番に滴下して形成する。前記疎水性絶縁層５６は、ＲＧＢ着色層５８ａ、５８ｂ、５８ｃ及び前記突起５４の第一部分５４ａの表面を覆い、ＡＦ１６００のような疎水性の透明なアモルファス・フルオロポリマーからなる。前記複数の突起５４の第二部分５４ｂは、前記複数の第一部分５４ａに対応して、前記疎水性絶縁層５６の表面に配置される。前記第一流体５３は、隣り合う突起５４の第二部分５４ｂの間に封入され、その材料は、一般的に色付けされたオイルまたはヘキサデカンのようなアルカンであって、本実施形態では、黒色オイル膜である。前記第二流体５２は、前記第一流体５３と前記第一基板５１との間に封入され、前記第一流体５３と互いに混和しない透明導電性液体であって、水または塩の水溶液であることができ、例えば、水とエチルアルコールの混合物の中の塩化カリウムの水溶液である。
【００２５】
前記エレクトロウエッティングディスプレイ５０の作業原理は、前記第１実施形態に係るエレクトロウエッティングディスプレイ３０の作業原理と大体同じである。
【００２６】
図７は、本発明の第４実施形態に係るエレクトロウエッティングディスプレイの一部断面図である。本実施形態に係るエレクトロウエッティングディスプレイ６０の構造は、前記第３実施形態に係るエレクトロウエッティングディスプレイ５０の構造と類似するが、異なるのは、前記エレクトロウエッティングディスプレイ６０の画素電極６７３は、反射電極であって、銀、Ｐｔ、Ｍｏ、クロム及び前記金属の合金のような反射率が高い金属材料であることができる。
【００２７】
前記エレクトロウエッティングディスプレイ６０の作業原理は、前記第２実施形態に係るエレクトロウエッティングディスプレイ４０の作業原理と大体同じである。
【００２８】
前記エレクトロウエッティングディスプレイ５０、６０は、皆滴下方式で各々のサブ・画素ユニットに絶縁層５６、６６と画素電極５７３、６７３との間に異なる色彩の着色層を形成することにより、濾色機能を実現する。だから、前記エレクトロウエッティングディスプレイ５０、６０は、彩色表示を実現するばかりでなく、カラーフィルターの製造工程を節約するので、製造コストを下げる。又前記絶縁層５６、５６は、ただ一回の塗布工程で形成し、単一サブ・画素ユニットに次第に形成する必要がなく、従って製造工程を更に節約する。
【００２９】
図８は、本発明の第５実施形態に係るエレクトロウエッティングディスプレイの一部断面図である。本実施形態に係るエレクトロウエッティングディスプレイ８０は、互いに対向配置される第一基板８１及び第二基板８９と、前記第一基板８１と第二基板８９との間に配置される第一流体８３と、第二流体８２と、複数の突起８４と、絶縁保護層８５と、ＲＧＢ着色層８８ａ、８８ｂ、８８ｃと、制御回路８７と、を備える。
【００３０】
前記複数の突起８４は、別々に第一部分８４ａと、第二部分８４ｂと、を備える。前記突起８４の第一部分８４ａは、格子構造で前記第二基板８９の表面に配置する。前記ＲＧＢ着色層８８ａ、８８ｂ、８８ｃは、滴下方式で赤色顔料、緑色顔料、青色顔料を別々に各々のサブ・画素ユニット内に順番に滴下して形成する。有機高分子材料からなる絶縁保護層８５は、前記ＲＧＢ着色層８８ａ、８８ｂ、８８ｃ及び前記突起８４の第一部分８４ａの表面を覆って、平坦な表面を形成する。
【００３１】
前記絶縁保護層８５の平坦な表面に設置される前記制御回路８７は、複数のスイッチング素子８７２と、複数の画素電極８７３及び疎水性絶縁層８６を備える。前記絶縁保護層８５の上に設置されて前記複数のサブ・画素ユニットと別々に対応する前記複数の画素電極８７３は、ＩＴＯまたはＩＺＯのような透明導電材料から作製する。前記スイッチング素子８７２は、各々1つの画素電極８７３に電気的に接続して、前記画素電極８７３に外部電圧を印加するかどうかを制御することに用いられる。前記疎水性絶縁層８６は、ＡＦ１６００のような疎水性の透明なアモルファス・フルオロポリマーから構成し、前記複数のスイッチング素子８７２及び複数の画素電極８７３を覆う。前記複数の突起８４の第二部分８４ｂは、前記複数の第一部分８４ａに対応して、前記疎水性絶縁層８６の表面に設置する。前記第一流体８３は、隣り合う突起８４の第二部分８４ｂの間に封入され、材料が通常色付けされたオイルまたはヘキサデカンのようなアルカンであって、本実施形態では、黒色オイル膜である。前記第二流体８２は、前記第一流体８３と前記第一基板８１の間に封入し、前記第一流体８３と互いに混和しない透明導電性液体であって、水または塩の水溶液であることができ、例えば水とエチルアルコールの混合における塩化カリウムの水溶液である。
【００３２】
前記エレクトロウエッティングディスプレイ８０の作業原理は、前記第１実施形態に係るエレクトロウエッティングディスプレイ３０の作業原理と大体同じである。画素電極８７３に外部電圧を印加すると、前記第二基板８９の底部から入射する光線は、前記複数の着色層８８ａ、８８ｂ、８８ｃによって濾色されてから、前記画素電極８７３と前記第二流体８２を通過して、前記第一基板８１から射出し、前記エレクトロウエッティングディスプレイ８０に対応する彩色画面を表示させる。
【００３３】
上述したエレクトロウエッティングディスプレイ３０、４０、５０、６０、８０の異なる色彩の複数の着色層は、複数の白色の着色層を更に備えことができ、前記エレクトロウエッティングディスプレイ３０、４０、５０、６０、８０の表示輝度を高める。上述したエレクトロウエッティングディスプレイ３０、４０、５０、６０、８０のスイッチング素子３７２、４７２、５７２、６７２、８７２は、薄膜トランジスタ（Ｔｈｉｎ  Ｆｉｌｍ  Ｔｒａｎｓｉｓｔｏｒ，ＴＦＴ）であることができる。
【図面の簡単な説明】
【００３４】
【図１】従来のエレクトロウエッティングディスプレイに電圧を印加する前の構造を示す一部拡大断面図である。
【図２】図１に示すエレクトロウエッティングディスプレイに電圧を印加された後の構造を示す一部拡大断面図である。
【図３】従来のカラーフィルターの構造を示す平面図である。
【図４】本発明の第１実施形態に係るエレクトロウエッティングディスプレイの一部断面図である。
【図５】本発明の第２実施形態に係るエレクトロウエッティングディスプレイの一部断面図である。
【図６】本発明の第３実施形態に係るエレクトロウエッティングディスプレイの一部断面図である。
【図７】本発明の第４実施形態に係るエレクトロウエッティングディスプレイの一部断面図である。
【図８】本発明の第５実施形態に係るエレクトロウエッティングディスプレイの一部断面図である。
【符号の説明】
【００３５】
３０、４０、５０、６０、８０  エレクトロウエッティングディスプレイ
３１、４１、５１、８１  第一基板
３２、４２、５２、８２  第二流体
３３、４３、５３、８３  第一流体
３４、４４、５４、６４、８４  突起
３６、４６、５６、６６、８６  疎水性絶縁層
３７、５７、８７  制御回路
３７２、５７２、８７２  スイッチング素子
３７３、４７３、５７３、６７３、８７３  画素電極
３７４、４７４、８５  絶縁保護層
３７５、５７５、６７５  隙間
３８、４８、５８、６８、８８  着色層
３８ａ、４８ａ、５８ａ、６８ａ、８８ａ  Ｒ着色層
３８ｂ、４８ｂ、５８ｂ、６８ｂ、８８ｂ  Ｇ着色層
３８ｃ、４８ｃ、５８ｃ、６８ｃ、８８ｃ  Ｂ着色層
３９、５９、６９  第二基板
５４ａ、６４ａ、８４ａ  第一部分
５４ｂ、６４ｂ、８４ｂ  第二部分
【図１】
2009031795.tif 000003
【図２】
2009031795.tif 000004
【図３】
2009031795.tif 000005
【図４】
2009031795.tif 000006
【図５】
2009031795.tif 000007
【図６】
2009031795.tif 000008
【図７】
2009031795.tif 000009
【図８】
2009031795.tif 000010